(57)【要約】【課題】一対の起立片を底面に有する紙製容器において、一対の起立片同士を起立させて係止させる際に、容易に起立させることができ、かつ、一対の起立片同士が起立し係止した状態を良好に維持することができる、高さの高い紙製容器を提供する。【解決手段】紙製容器１の高さを従来よりも高く設定し、底面１０ｂに、天面１０ａ側に押し込むことで係止可能な一対の起立片１２を、底面１０ｂにおける長辺の中心点同士及び短辺の中心点同士を結ぶ線の交点を対称点として、点対称の関係となるように、長辺方向に隣接して設け、さらに、一対の起立片１２の態様を工夫した、紙製容器１を提供する。【選択図】図２
2019189279.tif 000002
【特許請求の範囲】
【請求項１】
ティシュペーパーをポップアップ式に取出し可能に交互に積層してなる積層体を収納可能な略直方体の紙製容器であって、
前記紙製容器の高さは５０ｍｍ以上１２０ｍｍ以下であり、
前記紙製容器の天面には、前記ティシュペーパーを通過させて取出すための開口部が設けられており、
前記紙製容器の底面には、天面側に押し込むことで係止可能な一対の起立片が、前記底面における長辺の中心点同士及び短辺の中心点同士を結ぶ線の交点を対称点として、点対称の関係となるように、長辺方向に隣接して設けられており、
前記一対の起立片は、起立する前の状態において、長辺に略平行である第１辺及び第２辺と、前記第１辺及び前記第２辺の近接する一端部同士を結ぶ分割辺と、前記第１辺の他端部から短辺方向に略平行に連続して設けられた第３辺と、前記第３辺と平行かつ対向し、前記第２辺の他端部から短辺方向に連続して設けられた第４辺と、を有し、
前記第１辺、前記第２辺、前記第３辺、前記第４辺及び前記分割辺は、裂開可能なミシン目によって形成され、
前記第１辺の一端部と前記第４辺の端部を結ぶ折り曲げ線、前記第２辺の一端部と前記第３辺の端部を結ぶ折り曲げ線が、長辺方向に略平行に、それぞれ形成されており、
前記分割辺は、短辺方向の両端部に位置し、起立した前記一対の起立片同士を係止する係止点を有する切り欠き部と、切り欠き部同士を結ぶ直線部と、から構成され、
各前記切り欠き部は、前記第１辺及び前記第２辺の一端部と係止点を短辺方向に結ぶ曲線部、及び、前記係止点と前記直線部を長辺方向に結ぶ曲線部、によりそれぞれ構成され、
前記直線部と、前記底面の長辺の中心点を通過する短辺方向平行線と、の成す角が、０°より大きく３０°以下であり、
各前記係止点から、前記第１辺及び前記第２辺までの短辺方向平行線上の距離は、それぞれ１ｍｍ以上５ｍｍ以下であり、
各前記切り欠き部における、各前記係止点から、前記直線部の端部までの長辺方向平行線上の距離は、それぞれ１ｍｍ以上５ｍｍ以下であり、
前記係止点同士を結ぶ線が、前記対称点を通過する、紙製容器。
【請求項２】
前記一対の起立片が、起立して互いに係止された状態において、前記底面からの前記一対の起立片の最上部での垂直距離が、３５ｍｍ以上５０ｍｍ以下であり、かつ、前記底面の短辺の寸法に対して３０％以上５０％以下である、請求項１に記載の紙製容器。
【請求項３】
前記紙製容器に用いる板紙の坪量は、３００ｇ／ｍ２以上５００ｇ／ｍ２以下である、請求項１又は２に記載の紙製容器。
【発明の詳細な説明】
【技術分野】
【０００１】
本発明は、ティシュペーパーをポップアップ式に取出し可能に交互に積層してなる積層体を収納可能な略直方体の紙製容器に関する。
【背景技術】
【０００２】
従来、ティシュ製品の収納容器として、ティシュペーパーをポップアップ式に取出し可能に交互に積層してなる積層体を収納可能な略直方体の紙製容器が用いられている。ここで、これら紙製容器に収納された内容物であるティシュペーパーの積層枚数が少なくなるにつれて、ティシュペーパーが容器内部に落ちる、いわゆるドロップバック現象が起こり、ポップアップできない場合がある。ドロップバック現象を抑制するために、紙製容器の底面に押し上げ機能が備えられる場合があり、押し上げ機能の一つの態様として、紙製容器の底面に一対の起立片が長手方向に隣接して設けられたものが知られている（例えば、特許文献１から特許文献４参照）。
【先行技術文献】
【特許文献】
【０００３】
【特許文献１】特開２０１６−１２０９２２号公報
【特許文献２】特開平８−９１４５５号公報
【特許文献３】実公昭５７−５７０２６号公報
【特許文献４】実開昭５６−６２９８１号公報
【発明の概要】
【発明が解決しようとする課題】
【０００４】
ところで、近年、他のティシュ製品と差別化を図るために、付加価値を付与し、高級感を高めたティシュ製品も上市されている。これら高級感を高めたティシュ製品は、ティシュペーパーの入り数が多く、紙製容器の高さが高い傾向にある。
ここで、高さの高い紙製容器を用いた場合には、起立片同士が起立し係止した状態で従来よりも多くのティシュペーパーを支えなければならず、特許文献１から特許文献４に記載の起立片の態様では、起立片同士が起立し係止した状態を良好に維持することができたとしても、起立片同士を起立させる際に、起立片同士の接触部分が突起部を有しているため、起立片同士を起立させるのに余計な力が必要となり、係止させるのに手間取る場合もあった。
【０００５】
したがって、本発明は、上記の課題に鑑みてなされたものであり、一対の起立片を底面に有する紙製容器において、一対の起立片同士を起立させて係止させる際に、容易に起立させることができ、かつ、一対の起立片同士が起立し係止した状態を良好に維持することができる、高さの高い紙製容器を提供することを目的とする。
【課題を解決するための手段】
【０００６】
本発明の発明者らは、上記課題に鑑み、鋭意研究を行った。その結果、紙製容器の高さを従来よりも高く設定し、底面に、天面側に押し込むことで係止可能な一対の起立片を、底面における長辺の中心点同士及び短辺の中心点同士を結ぶ線の交点を対称点として、点対称の関係となるように、長辺方向に隣接して設け、さらに、一対の起立片の態様を工夫することにより、上記課題を解決できることを見出し、本発明を完成するに至った。具体的には、本発明は、以下のものを提供する。
【０００７】
（１）本発明の第１の態様は、ティシュペーパーをポップアップ式に取出し可能に交互に積層してなる積層体を収納可能な略直方体の紙製容器であって、前記紙製容器の高さは５０ｍｍ以上１２０ｍｍ以下であり、前記紙製容器の天面には、前記ティシュペーパーを通過させて取出すための開口部が設けられており、前記紙製容器の底面には、天面側に押し込むことで係止可能な一対の起立片が、前記底面における長辺の中心点同士及び短辺の中心点同士を結ぶ線の交点を対称点として、点対称の関係となるように、長辺方向に隣接して設けられており、前記一対の起立片は、起立する前の状態において、長辺に略平行である第１辺及び第２辺と、前記第１辺及び前記第２辺の近接する一端部同士を結ぶ分割辺と、前記第１辺の他端部から短辺方向に略平行に連続して設けられた第３辺と、前記第３辺と平行かつ対向し、前記第２辺の他端部から短辺方向に連続して設けられた第４辺と、を有し、前記第１辺、前記第２辺、前記第３辺、前記第４辺及び前記分割辺は、裂開可能なミシン目によって形成され、前記第１辺の一端部と前記第４辺の端部を結ぶ折り曲げ線、前記第２辺の一端部と前記第３辺の端部を結ぶ折り曲げ線が、長辺方向に略平行に、それぞれ形成されており、前記分割辺は、短辺方向の両端部に位置し、起立した前記一対の起立片同士を係止する係止点を有する切り欠き部と、切り欠き部同士を結ぶ直線部と、から構成され、各前記切り欠き部は、前記第１辺及び前記第２辺の一端部と係止点を短辺方向に結ぶ曲線部、及び、前記係止点と前記直線部を長辺方向に結ぶ曲線部、によりそれぞれ構成され、前記直線部と、前記底面の長辺の中心点を通過する短辺方向平行線と、の成す角が、０°より大きく３０°以下であり、各前記係止点から、前記第１辺及び前記第２辺までの短辺方向平行線上の距離は、それぞれ１ｍｍ以上５ｍｍ以下であり、各前記切り欠き部における、各前記係止点から、前記直線部の端部までの長辺方向平行線上の距離は、それぞれ１ｍｍ以上５ｍｍ以下であり、前記係止点同士を結ぶ線が、前記対称点を通過する、紙製容器である。
【０００８】
（２）本発明の第２の態様は、（１）に記載の紙製容器であって、前記一対の起立片が、起立して互いに係止された状態において、前記底面からの前記一対の起立片の最上部での垂直距離が、３５ｍｍ以上５５ｍｍ以下であり、かつ、前記底面の短辺の寸法に対して３０％以上５０％以下であることを特徴とするものである。
【０００９】
（３）本発明の第３の態様は、（１）又は（２）に記載の紙製容器であって、前記紙製容器に用いる板紙の坪量が、３００ｇ／ｍ２以上５００ｇ／ｍ２以下であることを特徴とするものである。
【発明の効果】
【００１０】
したがって、本発明によれば、一対の起立片を底面に有する紙製容器において、一対の起立片同士を起立させて係止させる際に、容易に起立させることができ、かつ、一対の起立片同士が起立し係止した状態を良好に維持することができる、高さの高い紙製容器を提供することができる。
【図面の簡単な説明】
【００１１】
【図１】本発明の紙製容器の斜視図である。
【図２】起立する前の一対の起立片の態様を示す本発明の紙製容器の底面図である。
【図３】起立する前の一対の起立片の分割辺の部分の拡大図である。
【図４】一対の起立片が起立し係止した状態を示す図面である。
【発明を実施するための形態】
【００１２】
以下、添付図面を参照して、本発明を実施するための形態（以下、実施形態）について詳細に説明する。なお、実施形態の説明の全体を通して同じ要素には同じ符号を付する。
【００１３】
本発明の紙製容器１は、図１に示すような、ティシュペーパーをポップアップ式に取出し可能に交互に積層してなる積層体を収納可能な略直方体の形状を有している。紙製容器１の略直方体の形状は、長辺、短辺、及び高さ方向の辺から構成される。本明細書において、長辺方向とは、紙製容器１の長辺に平行な方向を指し、図中Ｘで表す方向であり、短辺方向とは、長辺方向に対して直交し、紙製容器１の短辺に平行な方向であり、図中Ｙで表す方向である。
【００１４】
紙製容器１の長辺の寸法は、２２０ｍｍ以上２５０ｍｍ以下であることが好ましく、紙製容器１の短辺の寸法は、１１０ｍｍ以上１２０ｍｍ以下であることが好ましい。紙製容器１の長辺及び短辺の寸法を上記の範囲とすることにより、ティシュペーパーをポップアップ式に取出し可能に交互に積層してなる積層体を収納するのに適した紙製容器１を得ることができる。
また、本発明の紙製容器１の高さは、５０ｍｍ以上１２０ｍｍ以下であり、７５ｍｍ以上１１０ｍｍ以下であることが好ましい。紙製容器１の高さを上記の範囲とすることにより、従来のティシュ製品に用いた紙製容器よりも高さの高い紙製容器１を得ることができ、紙製容器１を用いたティシュ製品に高級感を付与することができる。
【００１５】
紙製容器１に用いる板紙の材質は、基材として、針葉樹晒クラフトパルプ（ＮＢＫＰ）や広葉樹晒クラフトパルプ（ＬＢＫＰ）等の木材パルプや新聞紙や雑誌等の古紙パルプを使用できる。これらのなかでも、加工適性や印刷適性の観点から、木材パルプが好ましい。
また、紙製容器１の十分な強度を確保するために、紙製容器１に用いる板紙の坪量は３００ｇ／ｍ２以上５００ｇ／ｍ２以下であることが好ましい。さらに、板紙の厚みは、０．３０ｍｍ以上０．７０ｍｍ以下であることが好ましい。
【００１６】
紙製容器１の天面１０ａにはティシュペーパーを通過させて取出すための開口部１１が設けられている。開口部１１としては、ミシン目により外周が形成される取出口と、取出口の外側の裏面に貼付され、取出し用のスリットを有する窓貼用フィルムを有する態様を用いることができる（図示しない）。
【００１７】
＜起立片＞
図２は、起立する前の一対の起立片１２の態様を示す本発明の紙製容器１の底面図である。本発明において、紙製容器１の底面１０ｂには、図２に示すように、天面１０ａ側に押し込むことで係止可能な一対の起立片１２が、起立する前の状態において、底面１０ｂにおける短辺の中心点同士を結ぶ線（図中X１−X１線）と長辺の中心点同士を結ぶ線（図中Ｙ１−Ｙ１線）の交点を対称点として、点対称の関係となるように、長辺方向に隣接して設けられている。
【００１８】
一対の起立片１２は、図２に示すように、起立する前の状態において、長辺に略平行である第１辺２１及び第２辺３１と、第１辺２１及び第２辺３１の近接する一端部同士を結ぶ分割辺４０と、第１辺２１の他端部から短辺方向に略平行に連続して設けられた第３辺２２と、第３辺２２と平行かつ対向し、第２辺３１の他端部から短辺方向に連続して設けられた第４辺３２と、を有している。
また、第１辺２１、第２辺３１、第３辺２２、第４辺３２及び分割辺４０は、裂開可能なミシン目によって形成されている。さらに、第１辺２１の一端部と第４辺３２の端部を結ぶ折り曲げ線３３、第２辺３１の一端部と第３辺２２の端部を結ぶ折り曲げ線２３が、
長辺方向に略平行に、それぞれ形成されている。ここで、上記の第４辺３２の端部とは、
第４辺３２の両端部のうち、第２辺３１と交わらない側の端部をいい、上記の第３辺２２の端部とは、第３辺２２の両端部のうち、第１辺２１と交わらない側の端部をいう。さらに、一対の起立片１２同士が、起立して互いに係止された状態を安定して維持できるように、第１辺２１と折り曲げ線３３、第２辺３１と折り曲げ線２３は、図２に示すように、それぞれ長辺方向に略平行に、かつ、１つの直線上に設けられていることが好ましい。
【００１９】
なお、一対の起立片１２が起立し係止した状態を良好に維持するために、一対の起立片１２における第１辺２１と第２辺３１の長さは等しく、３２ｍｍ以上３５ｍｍ以下であることが好ましく、第３辺２２と第４辺３２の長さは等しく、４５ｍｍ以上５９ｍｍ以下であることが好ましい。
【００２０】
分割辺４０は、図２及び図３に示すように、短辺方向の両端部に位置し、起立した一対の起立片１２同士を係止する係止点４１ｂ及び４２ｂを有する切り欠き部４１及び４２と、切り欠き部同士を結ぶ直線部４３と、から構成される。
【００２１】
図４は一対の起立片１２が起立し係止した状態を示す図面である。一対の起立片１２を、天面１０ａ側に押し込むことで第１辺２１、第２辺３１、第３辺２２、第４辺３２及び分割辺４０に係るミシン目を開封し、折り曲げ線２３及び３３を底辺として一対の起立片１２を起立させることができる。そして、図４に示すように、起立した一対の起立片１２同士を、係止点４１ｂ及び４２ｂで係止することができる。そして、係止した後は、ティシュペーパーの積層体の自重により、係止した状態を良好に維持することができる。
【００２２】
ここで、図４のように一対の起立片１２同士を起立させる際に、一対の起立片１２同士が接触する部分、すなわち直線部４３が従来の発明のように突起部を有しておらず、直線であるため、起立させる際の抵抗が少なく、余計な力を必要とせずに、容易に起立させることができる。
【００２３】
また、切り欠き部４１及び４２は、図３に示すように、第１辺２１及び第２辺３１の一端部と係止点４１ｂ及び４２ｂを短辺方向に結ぶ曲線部４１ａ及び４２ａ、並びに係止点４１ｂ及び４２ｂと直線部４３を長辺方向に結ぶ曲線部４１ｃ及び４２ｃ、によりそれぞれ構成される。ここで、係止点４１ｂ及び４２ｂと直線部４３とを繋ぐ、曲線部４１ｃ及び４２ｃがいずれも曲線で構成されることにより、図４のように一対の起立片１２同士を起立させて係止させる際に、曲線同士が交差するため、抵抗が少なく、余計な力を必要とせずに、容易に起立及び係止させることができる。
【００２４】
また、直線部４３と、底面１０ｂの長辺の中心点を通過する短辺方向平行線と、の成す角θが、０°より大きく３０°以下であり、５°以上１５°以下であることが好ましい。直線部４３と、底面１０ｂの長辺の中心点を通過する短辺方向平行線と、の成す角θが上記の範囲であることにより、図４のように一対の起立片１２同士を起立させる際に、抵抗が少なく、余計な力を必要とせずに、容易に起立及び係止させることができ、かつ、係止した状態を良好に維持することができる。
【００２５】
係止点４１ｂ及び４２ｂから、第１辺２１及び第２辺３１までの短辺方向平行線上の距離は、それぞれ１ｍｍ以上５ｍｍ以下であり、２ｍｍ以上３ｍｍ以下であることが好ましい。係止点４１ｂ及び４２ｂから、第１辺２１及び第２辺３１までの短辺方向平行線上の距離が上記の範囲であることにより、係止した状態を良好に維持することができる。
【００２６】
また、切り欠き部４１及び４２における、係止点４１ｂ及び４２ｂから、直線部４３の端部までの長辺方向平行線上の距離は、それぞれ１ｍｍ以上５ｍｍ以下であり、２ｍｍ以上４ｍｍ以下であることが好ましい。切り欠き部４１及び４２における、係止点４１ｂ及び４２ｂから、直線部４３の端部までの長辺方向平行線上の距離が上記の範囲であることにより、図４のように一対の起立片１２同士を起立させて係止させる際に、抵抗が少なく、余計な力を必要とせずに、容易に起立及び係止させることができ、かつ、係止した状態を良好に維持することができる。
【００２７】
さらに、一対の起立片１２の係止点４１ｂと４２ｂとを結ぶ線が、一対の起立片１２の対称点を通過する。これにより、係止点同士を容易に合致させることができ、かつ、隙間なく適切に合致させることができ、係止が外れ難くなる。
【００２８】
さらに、第２辺３１と、直線部４３と、の成す角φは、８０°以上９０°未満が好ましい。これにより切り欠き部４１及び４２が適切な大きさとなり、一対の起立片１２を起立させて係止させる作業が容易となり、かつ、一対の起立片１２同士を係止した状態を良好に維持することができる。
【００２９】
一対の起立片１２が、起立して互いに係止された状態において、底面１０ｂからの一対の起立片１２の最上部での垂直距離が、３５ｍｍ以上５０ｍｍ以下であり、かつ、底面１０ｂの短辺の寸法に対して３０％以上５０％以下であることが好ましい。これにより、一対の起立片１２同士を係止させた状態において求める高さを実現するための一対の起立片１２の長さを十分に確保できる。
さらに、一対の起立片１２が、起立して互いに係止された状態を安定して維持できるように、一対の起立片１２が起立し係止した状態において、底面１０ｂと一対の起立片１２が成す角は３０°以上７５°以下であることが好ましい。
【００３０】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３１】
１                              紙製容器
１０ａ                          天面
１０ｂ                          底面
１１                            開口部
１２                            一対の起立片
２１                            第１辺
２２                            第３辺
２３、３３                      折り曲げ線
３１                            第２辺
３２                            第４辺
４０                            分割辺
４１、４２                      切り欠き部
４１ａ、４１ｃ、４２ａ、４２ｃ  曲線部
４１ｂ、４２ｂ                  係止点
４３                            直線部
【図１】
2019189279.tif 000003
【図２】
2019189279.tif 000004
【図３】
2019189279.tif 000005
【図４】
2019189279.tif 000006